(57)【要約】      （修正有）【課題】日にちごとの予定の仕事や行事をやり残しを忘れることがないように処理済みを確認するための手段を設けたダイアリーノートを提供する。【解決手段】各頁紙１に横線２で上下に適当間隔に区画して上下にわたる区画欄３を設け、その各区画欄３に上部から下部に向かって順次日付や曜日等の日にち４を記載し、上記各区画欄３に仕事や行事等の予定項目を記載するようにしてなるダイアリーノートにおいて、各区画欄３ごとにその端縁にチェック用の付箋５を切り取り線６を介して一体に突設部を設ける。【選択図】図１
0003151164.tif 000002
【実用新案登録請求の範囲】
【請求項１】
各頁紙１に横線２で上下に適当間隔に区画して上下にわたる区画欄３を設け、その各区画欄３に上部から下部に向かって順次日付や曜日等の日にち４を記載し、上記各区画欄３に仕事や行事等の予定項目を記載するようにしてなるダイアリーノートにおいて、各区画欄３ごとにその端縁にチェック用の付箋５を切り取り線６を介して一体に突設してなることを特徴とするダイアリーノート。
【請求項２】
各付箋５には、その日にち４の曜日ごとに異なった着色７を施してなることを特徴とする請求項１に記載のダイアリーノート。
【考案の詳細な説明】
【技術分野】
【０００１】
本考案は、各頁紙に横線で上下に適当間隔に区画して上下にわたる区画欄を設け、その各区画欄に上部から下部に向かって順次日付や曜日を記載してなるダイアリーノートの改良に関する。
【背景技術】
【０００２】
従来、上記のようなダイアリーノートの各区画欄に、忘れ防止のためにその月の予定の仕事とか行事を記録し、その記録に基づいて行動するようにしているが、その日の予定を全てクリアーしたと思っていても、漏れがあり、ある予定の仕事をうっかり忘れている場合が多々ある。
【先行技術文献】
【特許文献】
【０００３】
【特許文献１】特開平８ー３４１７９号公報
【考案の概要】
【考案が解決しようとする課題】
【０００４】
従来のこの種のダイアリーノートでは、上記特許文献１に示すように、文書の索引用見出しを設けたものはあるが、上記のようにその日の予定の仕事等を忘れないように作成されたダイアリーノートに未だ存在しないのではないかと思われる。
【０００５】
本考案は、上記の点に鑑み、ダイアリーノートにその日予定していた仕事や行事を処理したことを確認するための手段を設けることによって忘れ防止に貢献することができるようにしたダイアリーノートを提案することを目的とする。
【課題を解決するための手段】
【０００６】
上記目的を達成するため、請求項１に記載の考案は、図１に示すように、各頁紙１に横線２で上下に適当間隔に区画して上下にわたる区画欄３を設け、その各区画欄３に上部から下部に向かって順次日付や曜日等の日にち４を記載し、上記各区画欄３に仕事や行事等の予定項目を記載するようにしてなるダイアリーノートにおいて、各区画欄３ごとにその端縁にチェック用の付箋５を切り取り線６を介して一体に突設してなることを特徴とする。
【０００７】
また請求項２に記載の考案は、請求項１に記載のダイアリーノートにおいて、各付箋５には、その日にち４の曜日ごとに異なった着色７を施してなることを特徴とする。
【考案の効果】
【０００８】
請求項１に記載の考案によれば、その日にち４の予定していた仕事や行事を全てこなしたことを確認したときには、その日にち４の該当する区画欄３の付箋５を切り取り線６で千切ることによって、その日にち４の予定していた仕事等を全てこなしたことになり、その日にち４でやり残した仕事等がないことが付箋５がその区画欄３に付いていないことから分かる。
【０００９】
しかし、その日にち４に予定していた仕事等の一部をやり残している場合には、その日にち４の区画欄３の付箋５は付いたままであるから、付箋５の付いた区画欄３のその日にち４のやり残した仕事を、翌日あるいは数日後に処理することを予定する場合には、翌日あるいは数日後の希望する日にち４の区画欄３に、予定する仕事として記入し、仕事等の一部をやり残したその日にち４の区画欄３の付箋５を切り取り線６で千切ることによって、予定している仕事を処理するのを忘れるということを防止すくことができる。
【００１０】
請求項２に記載の考案によれば、各付箋５には、その日にち４の曜日ごとに異なった着色７を施してなることを特徴とするため、その着色７を見れば何曜日の仕事等をやり残したか一目に判別することができ、仕事等を処理するのを忘れるということを、より一層防止することができる。
【図面の簡単な説明】
【００１１】
【図１】本考案の一実施形態のダイアリーノートを示す斜視図である。
【図２】同使用状態を示す斜視図である。
【図３】同じく使用状態を示す斜視図である。
【図４】同じく使用状態を示す斜視図である。
【図５】同じく使用状態を示す斜視図である。
【考案を実施するための形態】
【００１２】
図１は本考案の実施の一形態であるダイアリーノートを示すもので、このダイアリーノートは、その頁紙１の最上欄に記載のように、２００９年度のものであり、その開いている頁紙１は、３月度のものであることが分かる。
【００１３】
そして、その頁紙１に横線２で上下に適当間隔に区画して上下にわたる区画欄３を設け、その各区画欄３に上部から下部に向かって順次日付や曜日等の日にち４、この実施形態では、３月の９日ＭＯＮ月、１０日ＴＵＥ火、１１日ＷＥＤ水、１２日ＴＨＵ木曜、１３日ＦＲＩ金と記載されており、その各区画欄３ごとにその端縁にチェック用の付箋５をミシン目等の切り取り線６を介して一体に突設している。なお、図中８はカバーである。
【００１４】
このダイアリーノートを使用する場合には、図２に示すように、日にち４の記載された各区画欄３に、日にち４ごとに予定している仕事や行事などの予定事項９を記入する。図２では、その週の予定事項９を記入した段階であり、未だ予定事項９をこなしていないため、各区画欄３の端縁には付箋５が付いたままの状態である。
【００１５】
図３に示すように、各日にち４の区画欄３に記載された予定事項９のうち、９日ＭＯＮ月の区画欄３に記載されている予定事項９を全てこなしたことを確認したときには、その区画欄３の端縁に付いている付箋５を切り取り線６で千切る。これによって、その日の予定事項９を全てこなしていたことを後日になっても確認することができる。
【００１６】
このようにして、翌日の１０日ＴＵＥ火、１１日ＷＥＤ水、１２日ＴＨＵ木曜、そして１３日ＦＲＩ金の各区画欄３に記載されている予定事項９をこなすごとにその日にち４の付箋５を千切ることによって、その週の仕事等は全てこなしたことを確認することができる。
【００１７】
しかるに、図４に示すように、その週のうち、例えば、１０日ＴＵＥ火を除いて９日ＭＯＮ月、１１日ＷＥＤ水、１２日ＴＨＵ木曜、そして１３日ＦＲＩ金の各区画欄３に記載されている予定事項９を全てこなしたため、該当する各区画欄３の付箋５を千切っているが、１０日ＴＵＥ火に該当する区画欄３の付箋５は付いたままである。この日のやり残した仕事を、その週の何れかの日にこなすことができないため、その週いっぱい経過しても、１０日ＴＵＥ火に該当する区画欄３の着色された付箋５は付いたままであるから、未だその週の火曜日のやり残した仕事はこなしていないことが分かり、忘れることはない。
【００１８】
そこで、図５に示すように、次の週の１６日ＭＯＮ月、１７日ＴＵＥ火、１８日ＷＥＤ水、１９日ＴＨＵ木曜、２０日ＦＲＩ金の祝日を除いた２０日ＦＲＩ金以外の該当する各区画欄３に、日にち４ごとに予定している仕事や行事などの予定事項９を記入する際に、前の週の付箋５の付いている火曜日の区画欄３に記載されているやり残した仕事を、上記各区画欄３の何れかに記入し、記入後に、前の週の付箋５の付いている火曜日の区画欄３に付いてい付箋５を千切ることになる。
【００１９】
そして、付箋５の付いた日にち４の区画欄３に記載の予定事項９を全て処理すれば、その区画欄３の付箋５を千切ればよい。
【００２０】
このように、区画欄３に記載された予定事項９をその端縁に付いている付箋５の有無によって、予定事項９を全て処理したか否か、また曜日ごとに各区画欄３に施された着色７を見ることによって何曜日の区画欄３に記載した予定事項９の一部がやり残されているが即座に判別することができ、その後の処理を迅速に行うことができる。
【符号の説明】
【００２１】
１    頁紙
２    横線
３    区画欄
４    日にち
５    チェック用の付箋
６    切り取り線
７    着色
８    カバー
９    予定事項
【図１】
0003151164.tif 000003
【図２】
0003151164.tif 000004
【図３】
0003151164.tif 000005
【図４】
0003151164.tif 000006
【図５】
0003151164.tif 000007